(57)【特許請求の範囲】
【請求項１】
セルフ給油方式の複数の計量機と、
該複数の計量機の状態監視及び給油制御を行う制御部と、
給油所の係員が携帯し、当該係員が送信操作を行なうリモートコントローラと、
前記複数の計量機のそれぞれに設けられ、前記リモートコントローラから送信される情報を受信する受信部と、
該受信部で受信された情報を前記制御部に設定する設定手段と、を備えており、
前記制御部は、前記リモートコントローラへ前記計量機の状態情報を送信する状態送信手段を有し、
前記リモートコントローラは、前記状態送信手段から送信された情報を受信して表示する状態表示部と、前記複数の計量機のそれぞれに対応して設けられた複数の許可キーと、該許可キーが操作されると当該許可キーに対応する当該計量機に対して給油を許可することを示す給油許可信号を無線で送信する送信器と有し、
前記複数の計量機は、前記リモートコントローラの送信器を前記受信部に向けた状態で前記計量機に対応する許可キーが操作されることにより当該送信器から送信された給油許可信号が当該受信部を介して入力された場合に給油が可能となることを特徴とするセルフ給油システム。
【発明の詳細な説明】
【０００１】
【発明の属する技術分野】
本発明は顧客自身が給油操作を行うセルフサービス方式の計量機への給油許可をリモコン操作で行うセルフ給油システムに関する。
【０００２】
【従来の技術】
例えば、セルフサービス方式の計量機が設置された給油所等では、給油を行うため顧客の自動車が到着すると、その運転者自身が自分でエンジン仕様に応じた油種の給油ノズルを燃料タンクの給油口に挿入して地下タンクに貯蔵された油液を燃料タンクに給油が行われる。
【０００３】
各計量機は、ＰＯＳシステムにより管理されており、ＰＯＳ端末機から給油許可信号が出力されると給油可能な状態となる。そのため、運転者が給油前に設定器により給油すべき油種、給油量、支払い方法等の給油データを入力すると、給油所の係員がこれらの入力データを確認して給油許可信号を出力させる。
そして、ＰＯＳ端末機から給油許可信号が出力されて当該給油ポイントでの給油が可能になると、運転者は、給油すべき油種の給油ノズルをノズル掛けから外して車両の給油口に挿入して給油を開始する。セルフサービス給油が終了した運転者は、事務所の精算所で給油料金を支払って給油所を退場する。
【０００４】
また、セルフサービス給油が行なわれる給油所では、無線方式のリモートコントローラから送信される信号を受信する受信部が設けられ、例えばリモートコントローラから給油許可信号を送信したり、あるいは初期設定等の操作が行なえるように開発が進められている。この場合、給油所の係員は、リモートコントローラを携帯して事務所から出ることができるので、給油エリアの様子を監視しながら給油許可信号を送信することが可能になる。
【０００５】
また、アイランド清算方式のセルフ給油システムの場合、事務所内で給油料金の清算を行わないため、係員が事務所内に居る必要がないので、リモートコントローラを携帯して給油所の給油エリアを見回りすることができる。
【０００６】
【発明が解決しようとする課題】
ところが、複数の計量機が設置されている給油所において、一の計量機から給油許可の要求があった場合、リモートコントローラを携帯している係員は、給油所に設置されている各計量機の状態がどのようになっているかわからない。そのため、給油許可の要求のあった当該計量機の状態を確認する必要があるのに、各計量機の近くに行くまで各計量機の状態を確認できないため、給油許可信号の出力が遅れたりしてサービスが低下するといった問題がある。
【０００７】
そこで、本発明は上記課題を解決したセルフ給油システムを提供することを目的とする。
【０００８】
【課題を解決するための手段】
本発明は上記課題を解決するため、以下のような特徴を有する。
上記請求項１記載の発明は、セルフ給油方式の複数の計量機と、
該複数の計量機の状態監視及び給油制御を行う制御部と、
給油所の係員が携帯し、当該係員が送信操作を行なうリモートコントローラと、
前記複数の計量機のそれぞれに設けられ、前記リモートコントローラから送信される情報を受信する受信部と、
該受信部で受信された情報を前記制御部に設定する設定手段と、を備えており、
前記制御部は、前記リモートコントローラへ前記計量機の状態情報を送信する状態送信手段を有し、
前記リモートコントローラは、前記状態送信手段から送信された情報を受信して表示する状態表示部と、前記複数の計量機のそれぞれに対応して設けられた複数の許可キーと、該許可キーが操作されると当該許可キーに対応する当該計量機に対して給油を許可することを示す給油許可信号を無線で送信する送信器と有し、
前記複数の計量機は、前記リモートコントローラの送信器を前記受信部に向けた状態で前記計量機に対応する許可キーが操作されることにより当該送信器から送信された給油許可信号が当該受信部を介して入力された場合に給油が可能となることを特徴とするものである。
【０００９】
従って、本発明によれば、給油所の係員が携帯し、当該係員が送信操作を行なうリモートコントローラが、状態送信手段から送信された情報を受信して表示する状態表示部と、当該計量機に対応する許可キーが操作されると当該計量機に対して給油許可信号を無線で送信する送信器と有するため、給油所に設置されている複数の計量機の夫々の状態を給油所の係員がその場で確認することができ、給油許可の要求のあった当該計量機の状態を給油所の係員が迅速に確認して当該計量機に対して給油許可を送信することができる。
【００１０】
【発明の実施の形態】
以下、図面と共に本発明の実施の形態について説明する。
図１は本発明になるセルフ給油システムの一実施例の全体構成を示す構成図である。
図１に示されるように、セルフ給油システムは、大略、給油所の事務所等の屋内に設置される屋内機器１１と、給油を行う屋外機器１２とからなる。屋内機器１１としては、給油所制御装置１３、監視モニタ１４、ＰＯＳ端末機１５、インタフォン１６等が設けられている。また、給油所制御装置１３には、各計量機１７の状態情報を逐次送信する計量機状態送信装置（状態送信手段）４１が接続されている。
【００１１】
また、屋外機器１２としては、セルフサービス給油用の複数の計量機１７1 〜１７n 、各計量機１７1 〜１７n の給油処理を設定するセルフサービスユニット１８1 〜１８n 、各計量機１７1 〜１７n を監視するための監視用カメラ１９1 〜１９n が設けられている。
各計量機１７1 〜１７n は、セルフサービスユニット１８1 〜１８n を介してシリアル回線３１により接続されており、後述するように相互に給油に関するデータを送受信している。また、各計量機１７1 〜１７n は、夫々無線式のリモートコントローラ（外部送信器）３２から送信される信号を受信する受信部３３1 〜３３n が設けられている。このリモートコントローラ３２は、給油エリアを見回る給油所の係員が携帯している。
【００１２】
尚、受信部３３1 〜３３n の取付位置としては、離れた位置からでも受信しやすいように各計量機１７1 〜１７n の上部に取り付けられている。また、受信部３３1 〜３３n は、各計量機１７1 〜１７n に対応して設けられたセルフサービスユニット１８1 〜１８n に設けるようにしても良い。
図２は屋内機器１１と屋外機器１２との接続を示す構成図である。
【００１３】
図２に示されるように、給油所制御装置１３は、ＰＯＳ端末機１５及び計量機１７1 〜１７n 、セルフサービスユニット１８1 〜１８n とＳＳ−ＬＡＮ（ローカル・エリア・ネットワーク）２０，２１を介して接続されている。そのため、給油所制御装置１３は、計量機１７1 〜１７n 、セルフサービスユニット１８1 〜１８n の状態を監視すると共に、給油に関するデータの送受信を行うと共に精算処理を行う。
【００１４】
また、給油所制御装置１３は、監視モニタ１４とＲＳ２３２Ｃインタフェースを介してシリアル通信線２２により接続されており、監視モニタ１４の分割や表示位置の切替え制御を行う。
また、各計量機１７1 〜１７n から給油所制御装置１３に送信される電文（送信データ）としては、例えば給油ノズルの外れ、戻しの状態と、その給油ノズル番号、給油中は給油量などがある。逆に、給油所制御装置１３から各計量機１７1 〜１７n に送信される電文（信号）としては、給油許可信号、給油停止信号などがある。また、給油所制御装置１３は、各計量機１７1 〜１７n からの状態を示す情報が入力されると、これらの情報を無線により計量機状態送信装置４１からリモートコントローラ３２へ送信する。
【００１５】
また、セルフサービスユニット１８1 〜１８n から給油所制御装置１３に送信される電文（送信データ）としては、顧客が設定した油種や給油量、支払い方法などの情報がある。そして、給油所制御装置１３からＰＯＳ端末機１５に送信される電文（送信データ）としては、例えば給油終了信号などがある。ＰＯＳ端末機１５は給油所制御装置１３からの給油終了信号を受けると、精算処理が可能になる。
【００１６】
監視モニタ１４は、屋外に設置された監視カメラ１９により撮像された各計量機１７1 〜１７n の給油ポイントの画像のうち４箇所の画像のみを写し出す。監視カメラ１９1 〜１９n は、セルフサービスユニット１８1 〜１８n の設定操作および各計量機１７1 〜１７n の給油操作等の顧客の様子を写すためのビデオカメラである。給油所制御装置１３は、監視カメラ１９1 〜１９n により撮像された画像の中から給油作業を行っている給油ポイントを選択し、給油作業中の場所のみを監視モニタ１４に写す。
【００１７】
インターフォン１６は、セルフサービス給油作業を行っている顧客がセルフサービスユニット１８1 〜１８n の設定方法、あるいは計量機１７1 〜１７n の操作方法等について質問、回答などのコミュニケーションを図るときに使用する。各計量機１７1 〜１７n は、地下タンク（図示せず）に貯蔵された油液を内蔵ポンプ（図示せず）で汲み上げて給油を行うと共に、給油量を計測して出力する機器である。また、各計量機１７1 〜１７n は、両側に給油ポイントが設けられており、夫々の給油ポイントに対応して各油種毎に４本の給油ノズル２７ａ〜２７ｄ、給油ホース２８ａ〜２８ｄが設けられている。
【００１８】
各給油ノズル２７ａ〜２７ｄは、計量機１７1 〜１７n の側面に設けられたノズル掛け２９ａ〜２９ｄに掛止され、給油を行う際にノズル掛け２９ａ〜２９ｄから外されて車両の給油口に挿入される。また、ノズル掛け２９ａ〜２９ｄには、夫々各給油ノズル２７ａ〜２７ｄの掛け外しを検出するためのノズル着脱検出スイッチ３０ａ〜３０ｄが設けられている。
【００１９】
尚、ノズル着脱検出スイッチ３０ａ〜３０ｄは、給油ノズル２７ａ〜２７ｄにより押圧されてオン状態に切り替わるようにノズル掛け２９ａ〜２９ｄの内部に設けられており、給油ノズル２７ａ〜２７ｄがノズル掛け２９ａ〜２９ｄに掛けられているときは、隠れて見えない。
また、セルフサービスユニット１８1 〜１８n は、インターフォン子機２３、音声出力用スピーカ２４、設定器部２５、プリンタ２６を内蔵している。インターフォン子機２３は、通信ケーブルを介してインターフォン１６と相互に接続されており、屋内にいる給油所の係員と会話を交わすことが出来る。
【００２０】
尚、各セルフサービスユニット１８1 〜１８n には、インターフォン子機２３、音声出力用スピーカ２４、設定器部２５、プリンタ２６が夫々一対ずつ設けられており、各計量機１７1 〜１７n の両側に設けられた給油ポイントに対応した構成となっている。
設定器部２５は、各給油ポイント毎に顧客自身が入力操作して給油すべき油種、給油量等のデータからなる給油条件を設定するための装置である。そして、設定器部２５により設定された給油条件は、給油所制御装置１３に送信される。
【００２１】
図３は計量機に設けられた一の給油系統の構成を示す構成図である。
図３に示されるように、計量機１７の内部には、地下タンク（図示せず）に連通された給油管路４２が配設されており、給油管路４２には給油ポンプ３４、流量計３５、電磁弁３６が配設されている。そして、計量機１７の制御回路３７は、ノズル着脱検出スイッチ３０、受信部３３、電磁弁３６、給油ポンプ３４を駆動するポンプモータ３８、流量計３５のパルス発信器３９、及び給油量や給油金額を表示する表示装置４０と接続されている。
【００２２】
各計量機１７1 〜１７n は、給油所制御装置１３から送信された給油許可信号を受けると、許可された油種の給油ポンプ３４が起動して地下タンクの油液を汲み上げるため、車両への給油が可能となる。
従って、制御回路３７は、リモートコントローラ３２からの給油許可信号により給油許可が設定されてノズル着脱検出スイッチ３０がオフになると、ポンプモータ３８を駆動させると共に、流量計３５のパルス発信器３９から送信された流量に応じたパルス数を積算して表示装置４０に給油量及び給油金額を表示させる。
【００２３】
図４は給油所制御装置１３の構成を示すブロック図である。
図４に示されるように、給油所制御装置１３は、各計量機１７1 〜１７n 及びセルフサービスユニット１８1 〜１８n からの給油データを管理する演算装置４５と、ＣＲＴ又はＬＣＤディスプレイよりなる表示装置４６と、表示装置４６の画面上に設けられたタッチパネル等からなる入力装置４７と、磁気ディスク装置等からなる記憶装置４８と、シリアル通信インターフェイス４９とから構成されている。
【００２４】
また、記憶装置４８には、上記リモートコントローラ３２から送信された信号を指定された番号の計量機１７あるいは全計量機１７1 〜１７n へ転送するように指示する通信制御プログラムが格納されている。
図５（Ａ）は上記リモートコントローラ３２の形状を示す平面図、図５（Ｂ）は上記リモートコントローラ３２の形状を示す正面図、図５（Ｃ）は上記リモートコントローラ３２の形状を示す側面図である。
【００２５】
図５（Ａ）〜（Ｃ）に示されるように、リモートコントローラ３２は、その上面に操作盤３２ａを有し、操作盤３２ａには、各操作スイッチ釦６１1 〜６１n が整列配置されている。また、リモートコントローラ３２の内部には、操作スイッチ釦６１1 〜６１n の押圧操作に応じた信号を生成する信号生成回路、バッテリ、送信器（共に図示せず）が収納されている。そして、リモートコントローラ３２の端部３２ｂには、送信器から送信された赤外線信号を前方へ出射するための対物レンズ６２が設けられている。
【００２６】
また、リモートコントローラ３２の上面には、液晶パネル３２ｃとスピーカ３２ｄとが設けられている。液晶パネル３２ｃは、計量機状態送信装置４１から送信された情報が受信されると、各計量機１７1 〜１７n の状態を文字で表示する。すなわち、液晶パネル３２ｃは、例えば図５（Ｂ）に示されるように、１番の計量機１７1 は「許可待ち」、２番の計量機１７2 は「給油中」、３番の計量機１７3 は「給油終了」、４番の計量機１７4 は「清算済み」といったようなメッセージを表示する。
【００２７】
図６はリモートコントローラ３２の構成を示すブロック図である。
図６に示されるように、リモートコントローラ３２は、ＣＰＵ６３と、操作スイッチ釦６１1 〜６１n と、内蔵アンテナ６４を介して信号を受信する受信器６５と、液晶パネル３２ｃと、スピーカ３２ｄと、計量機１７の受信部３３へ対物レンズ６２を介して赤外線信号を送信する送信器６６とを有する。
【００２８】
図７はリモートコントローラ３２に設けられた各操作スイッチ釦６１1 〜６１n を配置例を拡大して示す平面図である。
図７に示されるように、各操作スイッチ釦６１1 〜６１n は、上から第１列に「Ｆ０〜Ｆ３キー」が配設され、第２列に「全許可、積算計、累計、全停止キー」が配設され、第３列に「許可１〜許可４キー」が配設され、第４列に「停止１〜停止４キー」が配設され、第５列に「Ｌ（リットル）、￥（円）キー」が配設され、第６列に「読出、７、８、９キー」が配設され、第７列に「登録、４、５、６キー」が配設され、第８列に「戻り、１、２、３キー」が配設され、第９列に「ＡＣ、０、．、設定キー」が配設されている。
【００２９】
上記各操作スイッチ釦６１1 〜６１n のうち、「許可１〜許可４キー」が押圧操作されると対応する番号の計量機１７1 〜１７4 に給油許可信号が送信され、「停止１〜停止４キー」が押圧操作されると対応する番号の計量機１７1 〜１７4 に給油停止信号が送信される。また、「全許可キー」が押圧操作されると全計量機１７1 〜１７4 に給油許可信号が送信され、「全停止キー」が押圧操作されると全計量機１７1 〜１７4 に給油停止信号が送信される。
【００３０】
ここで、本実施例におけるセルフサービス給油の操作手順について説明する。
図８はセルフサービス給油を行う場合の各機器間での給油手順を説明するためのフローチャートである。
図８に示されるように、給油所に到着した顧客（運転者）は、（動作１０）で給油ポイントNo.1〜No.8のなかで空いている給油ポイントへ移動する。そして、空いている給油ポイントに車両を停車させる。次の（動作１１）では、給油ポイントに設置されたセルフサービスユニット１８の設定器部２５を用いて給油する油種、給油量、支払い方法等の給油条件を設定する。
【００３１】
次の（動作１２）では、設定終了後、顧客自身が計量機１７から給油ノズル２７を外し、車両の給油口に給油ノズル２７の吐出パイプを挿入させる。そして、（動作１３）では、給油を終了し、計量機１７に給油ノズル２７を戻す。
また、顧客は、（動作１４）でプリンタ２６から発行された仮伝票を持って、精算所に行き、給油料金の精算を行う。そして、（動作１５）で顧客は給油所から退場する。
【００３２】
上記顧客の（動作１０〜１５）に連動してセルフサービスユニット１８は、以下のような処理を実行する。
すなわち、セルフサービスユニット１８は、顧客が給油ポイントに入ると、ステップＳ１１（以下「ステップ」を省略する）で設定開始待ちの待機モードとなる。これは、何らかの車両検知装置を計量機１７に備え、その信号をセルフサービスユニット１８が受け取っても良いが、前に給油した車両が給油ポイントを離れた時点で設定待ちになっても良い。
【００３３】
また、顧客が設定操作を終了したら、Ｓ１２で設定値を給油所制御装置１３へ送信する。
プリンタ２６は、Ｓ１３で給油所制御装置１３からの印字命令を受け、設定されたフォーマットに従って、伝票番号等を印字した仮伝票を発行する。
また、上記顧客の（動作１０〜１５）に連動して給油所制御装置１３は、以下のような処理を実行する。すなわち、給油所制御装置１３は、Ｓ１４でセルフサービスユニット１８の設定器部２５から各種設定が送信されると、その設定情報を表示装置４６に表示すると共に、計量機１７の状態情報として計量機状態送信装置４１からリモートコントローラ３２に送信させる。
【００３４】
次のＳ１５は、計量機１７から給油終了及び給油量が送信されると、合計金額を演算すると共に、給油終了を状態情報として計量機状態送信装置４１からリモートコントローラ３２に送信させる。
そして、Ｓ１６では、プリンタに金額、伝票番号等を送信し、印字を命令する。次のＳ１７では、上記動作１４で給油料金の精算が行われると、当該給油料金の精算終了を登録すると共に、精算終了を状態情報として計量機状態送信装置４１からリモートコントローラ３２に送信させる。
【００３５】
また、給油所制御装置１３の処理（Ｓ１４〜Ｓ１７）に連動してリモートコントローラ３２は以下のような表示処理及び操作される。
Ｓ１８では、計量機状態送信装置４１から送信された計量機１７の状態情報を受信すると、リモートコントローラ３２の液晶パネル３２ｃに設定された計量機番号と「給油待ち」が表示される。尚、液晶パネル３２ｃで「給油待ち」を表示する場合、給油所の係員が識別しやすいように赤色で表示し、他のメッセージを青色で表示する。そして、リモートコントローラ３２のスピーカ３２ｄから計量機１７の状態情報が受信されたことを報知するためのアラームを発する。これで、給油所の係員は、液晶パネル３２ｃをみていなくても新しい状態情報が受信されたことを認識でき、操作遅れを防止できる。
【００３６】
次のＳ１９で、リモートコントローラ３２の許可釦がオンに操作されると、給油許可信号を送信器６６から当該計量機１７に送信する。
また、Ｓ２０では、給油終了が計量機状態送信装置４１から送信されると、リモートコントローラ３２の液晶パネル３２ｃに設定された計量機番号と「給油終了」が表示される。
【００３７】
次のＳ２１では、精算終了が計量機状態送信装置４１から送信されると、リモートコントローラ３２の液晶パネル３２ｃに設定された計量機番号と「精算終了」が表示される。このように、リモートコントローラ３２の液晶パネル３２ｃに表示された状態情報をみることにより、給油所に設置されている複数の計量機１７の夫々状態をその場で確認することができる。そのため、給油所の係員は、給油許可の要求のあった当該計量機１７の状態を直ちに確認して給油許可を送信することができる。
【００３８】
また、複数の計量機１７が給油許可待ちの状態になっても直ちに計量機１７の状態を確認して給油許可を与えることが可能になり、顧客を待たせないようにできる。また、複数の計量機１７が設置されている場合でも、液晶パネル３２ｃに表示された状態情報を確認することにより他の計量機１７に給油許可を与えることがなく誤操作を防止できる。
【００３９】
一方、計量機１７では、リモートコントローラ３２からの給油許可信号が受信されると、給油処理を行う。すなわち、Ｓ２２で給油所制御装置１３から給油許可が下りると、給油許可待ちから給油開始に入る。
次の、Ｓ２３では、顧客が給油を開始すると、ポンプを作動させ、燃料が給油ノズル２７から車両の燃料タンクへ給油される。
【００４０】
次のＳ２４では、顧客が給油を終了すると、ポンプを停止させ、給油所制御装置１３に給油の終了と給油量を給油所制御装置１３へ送信する。
また、給油が終了すると、顧客は、セルフサービスユニット１８のプリンタ２６から給油ポイント番号又は計量機番号、追番号（伝票番号）、日時、油種、給油量、給油金額等の給油データが表示された仮伝票を取り、事務所内の精算所に移動する。これで、セルフサービス給油を行う場合の動作手順が終了する。
【００４１】
セルフサービスユニット１８の設定器部２５により入力された設定内容は、同時に給油所制御装置１３の表示装置４６に表示される。そのため、給油所の係員は、給油所の事務所に設置された給油所制御装置１３の表示装置４６により、各計量機１７1 〜１７n の設定の有無及び設定内容を確認することができる。
また、給油所の係員は、給油客から仮伝票を受け取り、その内容に該当するデータを給油所制御装置１３の表示装置４６に表示された画面上から選択し、入力装置４７により精算の操作を行う。これで、給油データは、給油所制御装置１３からＰＯＳ端末機１５に送信される。これにより、ＰＯＳ端末機１５のプリンタ（図示せず）から伝票が発行され、給油代金と引換えに伝票を顧客に渡す。
【００４２】
ここで、本発明の変形例について説明する。
変形例１としては、受信部３３1 〜３３n は、計量機１７にのみ接続されていなくてもよく、給油制御装置１３に直接接続されるように構成しても良い。
この場合には、計量機１７の位置とは関係なく、給油所内の全ての位置、または特定の位置でリモートコントローラ３２の操作が可能になる。尚、上記のような場合、受信部３３1 〜３３n の数は、計量機１７の数と関係なく、１つ以上であれば良い。
【００４３】
また、変形例２としては、リモートコントローラ３２には、液晶パネル３２ｃが設けられているだけであり、給油許可釦が計量機１７に設けられた構成とする。そして、給油所の係員は、リモートコントローラ３２を持って給油許可を要求する計量機１７の場所へ移動して設定内容を確認した後、計量機１７に設けられた給油許可釦をオンに操作する。
【００４４】
この場合、リモートコントローラ３２は、認証用の信号（例えば、特定の周波数の信号）を常に送信しており、計量機１７側では、この認証用の信号が受信され、且つ給油許可釦がオンに操作されたときに給油可能となる。
尚、認証用の信号の送信レベルあるいは受信レベルを比較的小さくすることにより、リモートコントローラ３２を持った係員が給油許可釦を操作したときだけ給油可能となる。そのため、リモートコントローラ３２を持たない人間が給油許可釦を操作しても給油ポンプが起動せず、不正給油やいたずらを防止できる。また、複数の計量機が設置されている場合でも、他の計量機に給油許可を与えることがなく誤操作を防止できる。
【００４５】
また、変形例３として、リモートコントローラ３２の操作釦を許可釦、停止釦、全停止釦の３つのみとし、且つリモートコントローラ３２からの送信信号の受信エリアを狭くする。この場合、計量機の番号を指定する操作が不要になり、操作釦数が減少して操作が簡単になると共に、他の計量機に給油許可を与えることがなく誤操作を防止できる。
【００４６】
また、変形例４として、リモートコントローラ３２は、監視カメラ１９により撮像された各給油ポイントの画像を受信し、指定した一の給油ポイントの様子を液晶パネル３２ｃに映し出すことができる。この場合、給油所の係員は、給油許可要求のあった計量機１７の状態を液晶パネル３２ｃに映し出された画像から確認することができる。そのため、複数の計量機が設置された給油所において、複数箇所で同時に給油許可待ちの状態になっても直ちに計量機の状態を確認して給油許可を与えることが可能になり、顧客を待たせないようにできる。
【００４７】
また、変形例５として、リモートコントローラ３２を無線式ではなく接触式として、リモートコントローラ３２を直接計量機１７に接触させ、この状態でリモートコントローラ３２の操作スイッチ釦６１1 〜６１n を操作することにより給油許可を与えることができる。この場合、リモートコントローラ３２が接触している計量機１７にのみ指示を与えることができるので、他の計量機に給油許可を与えることがなく誤操作を防止できる。
【００４８】
尚、上記実施例では、地上設置型の給油装置を一例として挙げたが、これに限らず、例えば給油ノズルを昇降させる懸垂式給油装置にも適用できるのは勿論である。
【００４９】
【発明の効果】
上述の如く、本発明によれば、給油所の係員が携帯し、当該係員が送信操作を行なうリモートコントローラが、状態送信手段から送信された情報を受信して表示する状態表示部と、許可キーが操作されると当該計量機に対して給油許可信号を無線で送信する送信器と有するため、給油所に設置されている複数の計量機の夫々状態を給油所の係員がその場で確認することができ、給油許可の要求のあった当該計量機の状態を直ちに確認して給油許可を送信することができる。従って、給油許可待ちの状態になっている計量機の状態を給油所の係員が迅速に確認して当該計量機に対して給油許可を送信することが可能になり、顧客を待たせないようにできる。また、複数の計量機が設置されている場合でも、状態表示部に表示された状態情報を確認することにより他の計量機に給油許可を与えることがなく誤操作を防止できる。
【図面の簡単な説明】
【図１】本発明になるセルフ給油システムの一実施例の全体構成を示す構成図である。
【図２】屋内機器１１と屋外機器１２との接続を示す構成図である。
【図３】計量機に設けられた一の給油系統の構成を示す構成図である。
【図４】給油所制御装置１３の構成を示すブロック図である。
【図５】リモートコントローラ３２の形状を示す図である。
【図６】リモートコントローラ３２の構成を示すブロック図である。
【図７】リモートコントローラ３２に設けられた各操作スイッチ釦６１1 〜６１n を配置例を拡大して示す平面図である。
【図８】セルフサービス給油を行う場合の各機器間での給油手順を説明するためのフローチャートである。
【符号の説明】
１１  屋内機器
１２  屋外機器
１３  給油所制御装置
１４  監視モニタ
１５  ＰＯＳ端末機
１７1 〜１７n   計量機
１８1 〜１８n   セルフサービスユニット
３２  リモートコントローラ
３２ｃ  液晶パネル
３２ｄ  スピーカ
３３  受信部
４１  計量機状態送信装置
４９  シリアル通信インターフェイス
６１1 〜６１n   操作スイッチ釦
６３  ＣＰＵ
６４  内蔵アンテナ
６５  受信器
６６  送信器
【図１】
0004216952.tif 000002
【図２】
0004216952.tif 000003
【図３】
0004216952.tif 000004
【図４】
0004216952.tif 000005
【図５】
0004216952.tif 000006
【図６】
0004216952.tif 000007
【図７】
0004216952.tif 000008
【図８】
0004216952.tif 000009